(57)【特許請求の範囲】
【請求項１】
ケースとこのケースの開放部を覆うカバーとで構成した筐体本体に内部シェルフ部を設け、この内部シェルフ部が、プリント基板を保持する一方及び他方のシェルフ側板とコネクタ同士の結合で前記プリント基板に接続されるバックボードとを有する電気機器装置の筐体構造であって、
前記一方及び他方のシェルフ側板の基端部を前記ケースの底部に位置決めして固着する固着手段と、
前記一方及び他方のシェルフ側板の先端部を前記ケースに対して着脱可能に保持するシェルフ側板保持手段と、
前記一方及び他方のシェルフ側板の先端部を前記ケースに対して着脱可能に保持して前記一方及び他方のシェルフ側板間のピッチを補正するピッチ補正手段と、
前記バックボードを前記ケースに対して着脱可能に保持するバックボード保持手段とを備え、
前記シェルフ側板保持手段が、前記一方及び他方のシェルフ側板の先端部に設けた第１の側板係合部と、前記ケースの開放部周縁の受け部に設けたケース側係合部と、前記第１の側板側係合部に係脱可能に係合する第１のホルダ側係合部及び前記ケース側係合部に係脱可能に係合する第２のホルダ側係合部を有する第１のホルダとを備えており、
前記第２のホルダ側係合部を前記ケース側係合部に係脱可能に係合して前記第１のホルダを前記ケースに装着し、前記第１のホルダ側係合部を前記第１の側板側係合部に係脱可能に係合し、前記ケースの前記開放部にカバーを被せることで、前記第１のホルダを前記ケースに固定して、前記第１のホルダで前記一方及び他方のシェルフ側板の先端部を保持するようにしたことを特徴とする電気機器装置の筐体構造。
【請求項２】
前記ピッチ補正手段が、一方及び他方のシェルフ側板の先端部に設けた第２の側板側係合手段と、この第２の側板側係合部に係脱可能に係合するホルダ側係合部を有する第２のホルダとを備えており、
前記ホルダ側係合部を前記第２の側板側係合部に係脱可能に係合して前記一方及び他方のシェルフ側板に前記第２のホルダを取り付け、前記ケースの前記開放部にカバーを被せることで、前記第２のホルダの両端部をケースの開放部周縁の受け部に当接させて当該第２のホルダの動きを規制して前記一方及び他方のシェルフ側板間のピッチを補正するようにしたことを特徴とする請求項１に記載の電気機器装置の筐体構造。
【請求項３】
ケースとこのケースの開放部を覆うカバーとで構成した筐体本体に内部シェルフ部を設け、この内部シェルフ部が、プリント基板を保持する一方及び他方のシェルフ側板とコネクタ同士の結合で前記プリント基板に接続されるバックボードとを有する電気機器装置の筐体構造であって、
前記一方及び他方のシェルフ側板の基端部を前記ケースの底部に位置決めして固着する固着手段と、
前記一方及び他方のシェルフ側板の先端部を前記ケースに対して着脱可能に保持するシェルフ側板保持手段と、
前記一方及び他方のシェルフ側板の先端部を前記ケースに対して着脱可能に保持して前記一方及び他方のシェルフ側板間のピッチを補正するピッチ補正手段と、
前記バックボードを前記ケースに対して着脱可能に保持するバックボード保持手段とを備え、
前記バックボード保持手段が、前記ケースの底部に設けられ且つバックボードの基端部を着脱可能に保持する複数のケース側ボード保持部と、前記ケースの開放部周縁の受け部に設けたケース側係合部と、前記バックボードの先端部を着脱可能に保持する複数のホルダ側ボード保持部及び前記ケース側係合部に係脱可能に係合する第２のホルダ側係合部を有する第１のホルダとを備え、
前記ケース側ボード保持部で前記バックボードの基端部を保持し、前記第２のホルダ側係合部を前記ケース側係合部に係合して前記第１のホルダを前記ケースに装着し、前記ホルダ側ボード保持部で前記バックボードの先端部を保持するようにしたことを特徴とする電気機器装置の筐体構造。
【請求項４】
前記バックボードに、前記プリント基板の挿入方向に対して直交する方向に動き得る多少の遊びを持たせた請求項３に記載の電気機器装置の筐体構造。
【発明の詳細な説明】
【０００１】
【発明の属する技術分野】
本発明は、情報通信等を行う電気機器装置の筐体構造に関する。
【０００２】
【従来の技術】
従来のこの種の電気機器装置の筐体構造であって、内部にシェルフ部Ｆを有する筐体構造は、図１０に示すように、左右のシェルフ側板ｃ、ｄとシェルフ天板ｅとを、リベットまたはねじ部材ｒにて固定し、縦置きのバックボードｇをシェルフ側板ｃ、ｄにねじ止めしてシェルフ部Ｆを形成し、さらにプリント基板ｆがスムーズに挿入できるよう調整のうえで、下部ケースｂにシェルフ部Ｆをねじ止めした後、シェルフ部Ｆに上部カバーａ及びリアパネルｈを取り付けて構成してあった。
【０００３】
【発明が解決しようとする課題】
しかしながら、上記した従来の電気機器装置の筐体構造では、ねじ部材ｒによって締結する部分が多いために、調整作業に手間が掛かるうえに、作業者によって品質の差が生じる等の問題点があつた。
【０００４】
本発明は、かかる従来の問題点を解決するためになされたものであって、その目的とするところは、ねじ部材による締結部が少なく、また、調整作業の不必要で、異なる作業者による組み立てでも一定の品質が維持できる電気機器装置の筐体構造を提供することにある。
【０００５】
【課題を解決するための手段】
上記の目的を達成するために、請求項１の発明に係る電気機器装置の筐体構造は、ケースとこのケースの開放部を覆うカバーとで構成した筐体本体に内部シェルフ部を設け、この内部シェルフ部が、プリント基板を保持する一方及び他方のシェルフ側板とコネクタ同士の結合でプリント基板に接続されるバックボードとを有する電気機器装置の筐体構造であって、一方及び他方のシェルフ側板の基端部をケースの底部に位置決めして固着する固着手段と、一方及び他方のシェルフ側板の先端部をケースに対して着脱可能に保持するシェルフ側板保持手段と、一方及び他方のシェルフ側板の先端部をケースに対して着脱可能に保持して一方及び他方のシェルフ側板間のピッチを補正するピッチ補正手段と、バックボードをケースに対して着脱可能に保持するバックボード保持手段とを備え、シェルフ側板保持手段が、一方及び他方のシェルフ側板の先端部に設けた第１の側板係合部と、ケースの開放部周縁の受け部に設けたケース側係合部と、第１の側板側係合部に係脱可能に係合する第１のホルダ側係合部及びケース側係合部に係脱可能に係合する第２のホルダ側係合部を有する第１のホルダとを備えており、第２のホルダ側係合部をケース側係合部に係脱可能に係合して第１のホルダをケースに装着し、第１のホルダ側係合部を第１の側板側係合部に係脱可能に係合し、ケースの開放部にカバーを被せることで、第１のホルダをケースに固定して、第１のホルダで一方及び他方のシェルフ側板の先端部を保持するようにしたものである。
【０００６】
かかる構成により、内部シェルフ部を形成する際、固着手段により一方及び他方のシェルフ側板の基端部をケースの底部に位置決めして固着して一方及び他方のシェルフ側板の基端部間のピッチを正確なものにし、シェルフ側板保持手段により一方及び他方のシェルフ側板の先端部をケースに対して着脱可能に保持し、ピッチ補正手段により一方及び他方のシェルフ側板の先端部間のピッチを補正することができる。
【０００７】
このように一方及び他方のシェルフ側板を正確なピッチ間隔でケースに取り付けて筐体本体に内部シェルフ部を形成するのに、シェルフ側板保持手段により一方及び他方のシェルフ側板の保持を行うようにし、また、バックボード保持手段によりバックボードをケースに対して着脱可能に保持することができるために、ねじ部材による締結部が少なく、また、調整作業をすることなく、筐体本体内に内部シェルフ部を形成することができる。
【０００８】
このように、ねじ部材による締結部が少なく、また、調整作業の不必要であるために、異なる作業者による組み立てでも一定の品質を維持することができるようになる。
【００１２】
さらに、一方及び他方のシェルフ側板の先端部の保持をねじ部材を用いることなく行うことができる。
【００１３】
また、上記の目的を達成するために、請求項２の発明に係る電気機器装置の筐体構造は、請求項１に記載の電気機器装置の筐体構造において、ピッチ補正手段が、一方及び他方のシェルフ側板の先端部に設けた第２の側板側係合部と、この第２の側板側係合部に係脱可能に係合するホルダ側係合部を有する第２のホルダとを備えており、ホルダ側係合部を第２の側板側係合部に係脱可能に係合して一方及び他方のシェルフ側板に第２のホルダを取り付け、ケースの開放部にカバーを被せることで、第２のホルダの両端部をケースの開放部周縁の受け部に当接させて当該第２のホルダの動きを規制して一方及び他方のシェルフ側板間のピッチを補正するようにしたものである。
【００１４】
かかる構成により、内部シェルフ部を形成する際、固着手段により一方及び他方のシェルフ側板の基端部をケースの底部に位置決めして固着して一方及び他方のシェルフ側板の基端部間のピッチを正確なものにし、シェルフ側板保持手段により一方及び他方のシェルフ側板の先端部をケースに対して着脱可能に保持し、ピッチ補正手段により一方及び他方のシェルフ側板の先端部間のピッチを補正することができる。このように一方及び他方のシェルフ側板を正確なピッチ間隙でケースに取り付けて筐体本体に内部シェルフ部を形成するのに、シェルフ側板保持手段により一方及び他方のシェルフ側板の保持を行うようにし、また、バックボード保持手段によりバックボードをケースに対して着脱可能に保持することができるために、ねじ部材による締結部が少なく、また、調整作業をすることなく、筐体本体にねじ部材による締結部が少なく、また、調整作業をすることなく、筐体本体内に内部シェルフ部を形成することができる。この結果、ねじ部材による締結部が少なく、また、調整作業が不必要であるために、先の作業者とは異なる作業者によって組み立て作業が行われたとしても一定の品質を維持することができるようになる。しかも、ねじ部材を使用することがないことから、バックボードを確実に保持することができる。
【００１５】
また、上記の目的を達成するために、請求項３の発明に係る電気機器装置の筐体構造は、ケースとこのケースの開放部を覆うカバーとで構成した筐体本体に内部シェルフ部を設け、この内部シェルフ部が、プリント基板を保持する一方及び他方のシェルフ側板とコネクタ同士の結合でプリント基板に接続されるバックボードとを有する電気機器装置の筐体構造であって、一方及び他方のシェルフ側板の基端部をケースの底部に位置決めして固着する固着手段と、一方及び他方のシェルフ側板の先端部をケースに対して着脱可能に保持するシェルフ側板保持手段と、一方及び他方のシェルフ側板の先端部をケースに対して着脱可能に保持して一方及び他方のシェルフ側板間のピッチを補正するピッチ補正手段と、バックボードをケースに対して着脱可能に保持するバックボード保持手段とを備え、バックボード保持手段が、ケースの底部に設けられ且つバックボードの基端部を着脱可能に保持する複数のケース側ボード保持部と、ケースの開放部周縁の受け部に設けたケース側係合部と、バックボードの先端部を着脱可能に保持する複数のホルダ側ボード保持部及びケース側係合部に係脱可能に係合する第２のホルダ側係合部を有する第１のホルダとを備え、ケース側ボード保持部でバックボードの基端部を保持し、第２のホルダ側係合部をケース側係合部に係合して第１のホルダをケースに装着し、ホルダ側ボード保持部でバックボードの先端部を保持するようにしたものである。
【００１６】
かかる構成により、内部シェルフ部を形成する際、固着手段により一方及び他方のシェルフ側板の基端部をケースの底部に位置決めして固着して一方及び他方のシェルフ側板の基端部間のピッチを正確なものにし、シェルフ側板保持手段により一方及び他方のシェルフ側板の先端部をケースに対して着脱可能に保持し、ピッチ補正手段により一方及び他方のシェルフ側板の先端部間のピッチを補正することができる。このように一方及び他方のシェルフ側板を正確なピッチ間隙でケースに取り付けて筐体本体に内部シェルフ部を形成するのに、シェルフ側板保持手段により一方及び他方のシェルフ側板の保持を行うようにし、また、バックボード保持手段によりバックボードをケースに対して着脱可能に保持することができるために、ねじ部材による締結部が少なく、また、調整作業をすることなく、筐体本体にねじ部材による締結部が少なく、また、調整作業をすることなく、筐体本体内に内部シェルフ部を形成することができる。この結果、ねじ部材による締結部が少なく、また、調整作業が不必要であるために、先の作業者とは異なる作業者によって組み立て作業が行われたとしても一定の品質を維持することができるようになる。しかも、ねじ部材を使用することがないことから、バックボードを確実に保持することができる。
【００１７】
また、上記の目的を達成するために、請求項４の発明に係る電気機器装置の筐体構造は、請求項３に記載の電気機器装置の筐体構造において、バックボードに、プリント基板の挿入方向に対して直交する方向に動き得る多少の遊びを持たせた。
【００１８】
かかる構成により、上記した請求項３の発明の作用効果と同様な作用効果を奏し得るばかりか、内部シェルフ部の一方及び他方のシェルフ側板の挿入保持されたプリント基板のコネクタをバックボードのコネクタに結合させる場合、バックボードが多少の遊びを有しているために、コネクタ同士に設けられた誘い込みを利用して、結合と同時にバックボードの位置を修正することができて、調整作業をなくすことができる。
【００１９】
【発明の実施の形態】
以下、本発明の実施の形態例を図１乃至図９に基づいて説明する。
【００２０】
図１は本発明に係る電気機器装置の筺体構造の背面側から見た斜視図、図２は同筺体構造のカバーを外した状態の斜視図、図３は同筺体構造の分解状態の斜視図である。なお、説明の便宜上、筺体構造の正面側を前側とし、この前側を基準にして後方向、左右方向及び上下方向を矢印のように設定する。
【００２１】
本発明に係る電気機器装置の筺体構造は、図１に一例を示すように、背面側よりプリント基板３を１枚又は複数横向きに挿入可能な形状を持ち、板金製のカバー１及びケース２とにより成る筐体本体３０と、この筐体本体３０の内部に形成される内部シェルフ部４０とより構成してある。
【００２２】
この内部シェルフ部４０は、プリント基板３を挿入するためのガイドレール部４ａ、５ａを有する一方及び他方のシェルフ側板（左右のシェルフ側板）４、５と、縦置きのバックボード８とを備えており、また、内部シェルフ部４０を形成するために、本発明に係る電気機器装置の筺体構造は、一方及び他方のシェルフ側板４、５の基端部４ｅ、５ｅをケース２の底部２Ｄに位置決めして固着する固着手段と、一方及び他方のシェルフ側板４、５の先端部４ｆ、５ｆをケース２に対して着脱可能に保持するシェルフ側板保持手段と、一方及び他方のシェルフ側板４、５の先端部４ｆ、５ｆをケース２に対して着脱可能に保持して一方及び他方のシェルフ側板４、５間のピッチを補正するピッチ補正手段と、バックボード８をケース２に対して着脱可能に保持するバックボード保持手段とを有している。
【００２３】
そして、シェルフ側板保持手段は、一方及び他方のシェルフ側板４、５の先端部（上端部）４ｆ、５ｆに設けた第１の側板側係合部である係合突起部４ｄ、５ｄと、ケース２の受け部２ａ−１、２ａ−２に設けたケース側係合部である切込み部２ｆと、係合突起部４ｄ、５ｄに係脱可能に係合する第１のホルダ側係合部である切込み部７ｄ及び切込み部２ｆに係脱可能に係合する第２のホルダ側係合部である係合突起部７ｃを有する第１のホルダ７とを備えている。
【００２４】
また、ピッチ補正手段は、一方及び他方のシェルフ側板４、５の先端部４ｆ、５ｆに設けた第２の側板側係合部である切欠き部４ｃ、５ｃと、この切欠き部４ｃ、５ｃに係脱可能に係合するホルダ側係合部である切欠き部６ａを有する第２のホルダ６とを備えている。
【００２５】
また、バックボード保持手段は、ケース２の底部２Ｄに設けられ且つバックボード８の基端部（下縁部）８ｃ側を着脱可能に保持するのケース側ボード保持部である保持爪部２ｃと、ケース２の受け部２ａ−１、２ａ−２に設けたケース側係合部である切込み部２ｆと、バックボード８の先端部（上縁部）８ｂを着脱可能に保持するホルダ側ボード保持部である保持爪部７ａ及び切込み部２ｆに係脱可能に係合する第２のホルダ側係合部である係合突起部７ｃを有する第１のホルダ７とを備えている。
【００２６】
図２及び図３に示すように、ケース２は、正面部２Ａと一方及び他方の側面部（左右の側面部）２Ｂ、２Ｃと底面部２Ｄと背面部２Ｅとを有していて、その上面部が解放した箱形形状をしており、背面部２Ｅにはプリント基板３を挿入するための開口部２ｇが形成してある。また、側面部２Ｂ、２Ｃの先端部（上端部）には、カバー１の取付用のねじ孔部２ｈを有する受け部２ａ−１、２ａ−２が形成してある。また、これらの受け部２ａ−１、２ａ−２は、ケース２の開放部２Ｆの周縁部の一部である。
【００２７】
そして、図６に示すように一方（左）の受け部２ａ−１は一方（左）の側面部２Ｂの外面より内方に、他方（右）の受け部２ａ−２は他方（右）の側面部２Ｃの外面より内方にそれぞれ位置している。また、図３及び図８に示すように一方及び他方の受け部２ａ−１、２ａ−２の前部にはケース側係合部である切込み部２ｆが前後に間隔をおいて設けてある。
【００２８】
また、内部シェルフ部４０を構築するために、ケース２には、図４、図５及び図６に示すように、一方及び他方のシェルフ側板４、５の基端部４ｅ、５ｅが位置決めの後に溶接により固着して配置してある。すなわち、一方（左）のシェルフ側板４は一方（左）の側面部２Ｂの内面側に配置してあり、他方（右）のシェルフ側板５は一方及び他方の側面部２Ｂ、２Ｃ間で他方（右方）寄りに設けてある。
【００２９】
そして、図４に示すように、ケース２の底部２Ｄの左側及び中間部には、ＮＣ工作機による位置決め用突起２ｂが前後方向に所定の間隔をおいて複数設けてあり、また、一方及び他方のシェルフ側板４、５の基端部４ｅ、５ｅには位置決め用突起２ｂに嵌合させる位置決め用穴４ｂ、５ｂがそれぞれ設けてある。
【００３０】
そして、一方及び他方のシェルフ側板４、５は位置決め用突起２ｂを位置決め用穴４ｂ、５ｂに嵌合して位置決めしてあり、この位置決め状態で溶接してある。したがって、ＮＣ工作機による高い精度にて、一方及び他方のシェルフ側板４、５の下部位置が決定されている。
【００３１】
このように位置決め用突起２ｂを位置決め用穴４ｂ、５ｂに嵌合して一方及び他方のシェルフ側板４、５をケース２の底部２Ｄに位置決めし、この位置決め状態で溶接することで固着手段が構成してある。
【００３２】
また、図３、図４及び図５に示すように、一方及び他方のシェルフ側板４、５の先端部（上端部）４ｆ、５ｆの前端部には第１の側板側係合部である係合突起部４ｄ、５ｄが形成してあり、また、一方及び他方のシェルフ側板４、５の先端部（上端部）４ｆ、５ｆの中央には第２の側板側係合部である切欠き部４ｃ、５ｃが設けてある。
【００３３】
また、図７に示すようにケース２の底部２Ｄの前側には、内部シェルフ部４０内に位置させて左右及び中央の保持爪部２ｃが切り起こしにより形成してあり、これらの保持爪部２ｃは切込み部２ｅを有していて、これらでケース側ボード保持部を構成している。また、ケース２の底部の前側には、両端の保持爪部２ｃのそれぞれの外方に位置させてストッパー２ｄが切り起こしにより形成してある。
【００３４】
また、図３及び図６に示すように第２のホルダ６はケースの側面部２Ｂ、２Ｃ間にほぼ等しい長さを有しており、その断面はコ字形状をしていて、この第２のホルダ６には、その左端部及び中間部の右寄りにそれぞれホルダ側係合部である切欠き部６ａが設けてある。
【００３５】
また、バックボード８保持用の第１のホルダ７は、図３及び図８に示すようにケース２の側面部２Ｂ、２Ｃ間にほぼ等しい長さを有しており、その断面はコ字形状をしていて、面部７ｆの前後に側板部７ｇ、７ｈを形成している。また、第１のホルダ７の両端面部７ｉ、７ｊにはねじ孔部７ｋが形成してある。また、第１のホルダ７の側板部７ｈには、第１のホルダ側係合部である切込み部７ｄが左右に離間した状態で形成してある。
【００３６】
また、第１のホルダ７の面部７ｆには、左右方向に所定の間隔をおいて複数の保持爪部７ａが切り起こしにより下向きに形成してあり、これらの保持爪部７ａは切込み部７ｂを有していて、これらでホルダ側ボード保持部を構成している。
【００３７】
また、保持爪部７ａが切り起こしにより形成されているために、第１のホルダ７の面部７ｆには指が入る程度の大きさの開口部７ｅが複数形成してあり、これらの開口部７ｅから保持爪部７ａを見ることができる。また、第１のホルダ７の前後の側板部７ｇ、７ｈの左、右端部には第２のホルダ側係合部である係合突起部７ｃが設けてある。
【００３８】
また、カバー１の左、右端部には取付用端面部１ａ−１、１ａ−２が設けてあり、これらの取付用端面部１ａ−１、１ａ−２の前後にはねじ挿入孔部１ｂが設けてある。
【００３９】
そして、バックボード８は、その基端部（下縁部）８ａを保持爪部２ｃのそれぞれの切込み部２ｅに挿入することでケース２に保持されており、また、第１のホルダ７は、その係合突起部７ｃをケース２の受け部２ａ−１、２ａ−２の切込み部２ｆに挿入することでケース２に装着してあり、第１のホルダ７は、その保持爪部７ａの切込み部７ｂにバックボード８の先端部（上縁部）８ｂを挿入して、このバックボード８を上から押えることで、ケース２側の保持爪部２ｃと共に、当該バックボード８を保持している。
【００４０】
このように、バックボード８は第１のホルダ７側及びケース２側の保持爪部７ａ、２ｃにより上下から挟み込まれる形となり、左右のストッパー２ｄ間で多少動き得るものである。
【００４１】
ここで、第１のホルダ７の面部７ｆの複数の開口部７ｅから、第１のホルダ７の保持爪部７ａとバックボード８の嵌合状態を確認することができ、また、開口部７ｅから指を挿入して第１のホルダ７の保持爪部７ａにバックボード８を嵌合させることができて、この第１のホルダ７の実装が容易になる。
【００４２】
また、第２のホルダ６は、その左端部及び中間部の切欠き部６ａ、６ｂを一方及び他方のシェルフ側板４、５の切欠き部４ｃ、５ｃに係脱可能に係合して、一方及び他方のシェルフ側板４、５に取り付けてあり、この場合、第２のホルダ６の左端部６ｍはケース２の受け部２ａ−１の内面に近接し、また、第２のホルダ６の右端部６ｎはケース２の受け部２ａ−２の内面に近接している。
【００４３】
そして、カバー１がケース２に被せてある。この場合、図６に示すようにカバー１の取付用端面部１ａ−１、１ａ−２がケース２の受け部２ａ−１、２ａ−２の外面側に嵌合しており、ねじ部材９を、取付用端面部１ａ−１、１ａ−２に設けたねじ挿入孔部１ｂ及び受け部２ａ−１、２ａ−２のねじ孔部２ｈに挿入して、第１のホルダ７の端面部７ｉ、７ｊのねじ孔部７ｋに螺合してある。
【００４４】
また、内部シェルフ部４０を形成する際、一方及び他方のシェルフ側板４、５の位置決め用穴４ｂ、５ｂに位置決め用突起２ｄを嵌合して一方及び他方のシェルフ側板４、５を位置決めをしたうえで溶接することにより、一方及び他方のシェルフ側板４、５の基端部４ｅ、５ｅ間のピッチを正確なものにすることができるし、また、ホルダ側係合部である切欠き部６ａを第２の側板側係合部である切欠き部４ｃ、５ｃに係脱可能に係合して一方及び他方のシェルフ側板４、５に第２のホルダ６を取り付け、ケース２にカバー１を被せることで、第２のホルダ６の両端部６ｍ、６ｎをケース２の受け部２ａ−１、２ａ−２を当接させて当該第２のホルダ６の動きを規制して一方及び他方のシェルフ側板４、５間のピッチを補正する。
【００４５】
また、第１のホルダ７は、その係合突起部７ｃをケース２の受け部２ａ−１、２ａ−２の切込み部２ｆに挿入することでケース２に装着してあり、第１のホルダ側係合部である切込み部７ｄを一方及び他方のシェルフ側板４、５の係合突起部４ｄ、５ｄに係脱可能に係合して、第１のホルダ７で一方及び他方のシェルフ側板４、５の先端部が保持されており、この状態で、ケース２にカバー１を被せることで、このカバー１で第１のホルダ７を押えるようにしてある。このために、ねじ部材を用いることなく一方及び他方のシェルフ側板４、５の組み立てが可能になる。
【００４６】
また、第１のホルダ７は、その保持爪部７ａの切込み部７ｂにバックボード８の先端部（上縁部）８ｂを挿入し、この状態で、ケース２にカバー１を被せることで、このカバー１で第１のホルダ７を押えるようにしてある。このようにバックボード８を上から押えることで、ケース２側の保持爪部２ｃと共に、当該バックボード８を保持しており、このバックボード８をねじ部材を用いることなく組み立てることが可能になる。
【００４７】
そして、図３及び図９に示すようにプリント基板３は、ケース２の背面部２Ｅの開口部２ｇから内部シェルフ部４０に、左右のシェルフ側板４、５のガイドレール部４ａ，５ａに案内されて挿入される。そして、プリント基板３は、その前端部に実装されたコネクタ３ａをバックボード８のコネク８ａに結合させている。この場合、上記したようにバックボード８は左右方向に多少の遊びを有しているために、コネクタ３ａ、８ａ同士に設けられた誘い込みを利用して、結合と同時にバックボード８の位置を修正することができて、調整作業が必要無くなる。
【００４８】
【発明の効果】
以上説明したように、本発明に係る電気機器装置の筐体構造によれば、内部シェルフ部を形成する際、固着手段により一方及び他方のシェルフ側板の基端部をケースの底部に位置決めして固着して一方及び他方のシェルフ側板の基端部間のピッチを正確なものにし、シェルフ側板保持手段により一方及び他方のシェルフ側板の先端部をケースに対して着脱可能に保持し、ピッチ補正手段により一方及び他方のシェルフ側板の先端部間のピッチを補正することができる。
【００４９】
このように一方及び他方のシェルフ側板を正確なピッチ間隔でケースに取り付けて筐体本体内に内部シェルフ部を形成するのに、シェルフ側板保持手段による保持を行うようにし、また、バックボード保持手段によりバックボードをケースに対して着脱可能に保持することができるために、ねじ部材を使用することなく、筐体本体内に内部シェルフ部を形成することができる。
【００５０】
このように、ねじ部材による締結部が少なく、また、調整作業の不必要であるために、異なる作業者による組み立てでも一定の品質を維持することができるようになる。
【００５２】
また、請求項１の発明に係る電気機器装置の筐体構造によれば、一方及び他方のシェルフ側板の先端部の保持をねじ部材を用いることなく行うことができる。
【００５３】
また、請求項２の発明に係る電気機器装置の筐体構造によれば、ねじ部材を使用することなく一方及び他方のシェルフ側板間のピッチを補正することができる。
【００５４】
また、請求項３の発明に係る電気機器装置の筐体構造によれば、ねじ部材を使用することなく一方及び他方のシェルフ側板間のピッチを補正することができる。
【００５５】
また、請求項４の発明に係る電気機器装置の筐体構造によれば、上記した請求項３の発明の作用効果と同様な作用効果を奏し得るばかりか、内部シェルフ部の一方及び他方のシェルフ側板に挿入保持されたプリント基板のコネクタをバックボードのコネクタに結合させる場合、バックボードが多少の遊びを有しているために、コネクタ同士に設けられた誘い込みを利用して、結合と同時にバックボードの位置を修正することができて、調整作業をなくすことができる。
【図面の簡単な説明】
【図１】本発明に係る電気機器装置の筺体構造の背面側から見た斜視図である。
【図２】同筺体構造のカバーを外した状態の斜視図である。
【図３】同筺体構造の分解状態の斜視図である。
【図４】同筐体構造のケースの分解状態の斜視図である。
【図５】同筺体構造のケースの一部分の分解状態の斜視図である。
【図６】図３のＹ−Ｙ線に沿う断面図である。
【図７】同筺体構造の下部の斜視図である。
【図８】同筺体構造の上部の斜視図である。
【図９】図１のＸ−Ｘ線に沿う断面図である。
【図１０】従来の電気機器装置の筺体構造の分解状態の斜視図である。
【符号の説明】
１  カバー
２  ケース
２Ａ  背面部
２Ｂ  左の側面部
２Ｃ  右の側面部
２Ｄ  底面部
２ａ−１  受け部
２ａ−２  受け部
２ｂ  位置決め用突起（固着手段）
２ｃ  保持爪部（ケース側ボード保持部）（バックボード保持手段）
２ｄ  ストッパー
２ｅ  切込み部（ケース側ボード保持部）（バックボード保持手段）
２ｆ  切込み部（ケース側係合部）（シェルフ側板保持手段）（バックボード保持手段）
２ｇ  開口部
３  プリント基板
３ａ  コネクタ
４  左のシェルフ側板（一方のシェルフ側板）
４ａ  ガイドレール部
４ｂ  位置決め用穴（固着手段）
４ｃ  切欠き部（第２の側板側係合部）（ピッチ補正手段）
４ｄ  係合突起部（第１の側板側係合部）（シェルフ側板保持手段）
４ｅ  基端部（下端部）
４ｆ  先端部（上端部）
５  右のシェルフ側板（他方のシェルフ側板）
５ａ  ガイドレール部
５ｂ  位置決め用穴（固着手段）
５ｃ  切欠き部（第２の側板側係合部）（ピッチ補正手段）
５ｄ  係合突起部（第１の側板側係合部）（シェルフ側板保持手段）
５ｅ  基端部（下端部）
５ｆ  先端部（上端部）
６  第２のホルダ（ピッチ補正手段）
６ａ  切欠き部（ホルダ側係合部）（ピッチ補正手段）
７  第１のホルダ（バックボード保持手段）（シェルフ側板保持手段）
７ａ  保持爪（ホルダ側ボード保持手段）（バックボード保持手段）
７ｂ  切込み部（ホルダ側ボード保持手段）
７ｃ  係合突起部（第２のホルダ側係合部）（シェルフ側板保持手段）（バックボード保持手段）
７ｄ  切込み部（第１のホルダ側係合部）（シェルフ側板保持手段）
７ｅ  開口部
７ｆ  面部
７ｇ  側板部
７ｈ  側板部
７ｉ  端面部
７ｊ  端面部
７ｋ  ねじ孔部
８  バックボード
８ａ  コネクタ
８ｂ  上縁部
８ｃ  下縁部
９    ねじ部材
３０  筐体本体
４０  内部シェルフ部
【図１】
0003852732.tif 000002
【図２】
0003852732.tif 000003
【図３】
0003852732.tif 000004
【図４】
0003852732.tif 000005
【図５】
0003852732.tif 000006
【図６】
0003852732.tif 000007
【図７】
0003852732.tif 000008
【図８】
0003852732.tif 000009
【図９】
0003852732.tif 000010
【図１０】
0003852732.tif 000011